(57)【特許請求の範囲】
【請求項１】
貯蔵室内に、複数の棚板と、可変棚と、冷気を吹出す冷気吹出口とを備えてなる冷蔵庫において、
上記可変棚は、背部および両側面の立上り面と底面を有して上面部及び前面部を開口する容器で構成されると共に、その容器が前記貯蔵室の前記棚板上に通常棚として使用する場合と背の高い食品を収納する場合とでひっくり返し可能に配置されてなり、上記容器をひっくり返した際にも上記冷気吹出口との位置合わせが可能な位置に設けられる冷気取入口を前記容器の背部の立上り面に備え、上記容器の底面の両側面より外方に突出するフランジ部を備えたことを特徴とする冷蔵庫。
【請求項２】
貯蔵室内に、複数の棚板と、可変棚と、冷気を吹出す冷気吹出口とを備えてなる冷蔵庫において、
上記可変棚は、背部および両側面の立上り面と底面を有して上面部及び前面部を開口する容器で構成されると共に、その容器が前記貯蔵室の前記棚板上に通常棚として使用する場合と背の高い食品を収納する場合とでひっくり返し可能に配置されてなり、上記可変棚の構成の容器を上記棚板上に少なくとも二つ併設し、上記容器の底面の両側面より外方に突出するフランジ部を備えて前記二つの容器間の隙間を小さくしたことを特徴とする冷蔵庫。
【請求項３】
貯蔵室内に、複数の棚板と、可変棚と、冷気を吹出す冷気吹出口とを備えてなる冷蔵庫において、
上記可変棚は、背部および両側面の立上り面と底面を有して上面部及び前面部を開口する容器で構成されると共に、その容器が前記貯蔵室の前記棚板上に通常棚として使用する場合と背の高い食品を収納する場合とでひっくり返し可能に配置されてなり、上記容器の上面開口が上に位置するように上記容器を配置した際に、上記容器の底面が前記棚板に重なり、上記容器の底面の両側面より外方に突出するフランジ部を備えたことを特徴とする冷蔵庫。
【発明の詳細な説明】
【０００１】
【産業上の利用分野】
本発明は、冷蔵庫に係り、背の高い壜あるいは食品を必要に応じ冷蔵庫内に収納するのに好適で、特に、安価で、かつ収納性の良好な棚を提供する冷蔵庫に関するものである。
【０００２】
【従来の技術】
背の高い壜あるいは食品を必要に応じ冷蔵庫内に収納する、従来の冷蔵庫を図７ないし図１０を参照して説明する。
図７は、従来構造を示す冷蔵庫本体の正面図、図８は、図７のＰ部拡大側面図、図９は、図８の可変棚を操作した説明図、図１０は、図９の可変棚を操作した説明図である。
【０００３】
図７において、２１は冷蔵庫本体で、この冷蔵庫本体２１は、内部に冷凍室２２、冷蔵室２３等を有している。２４は、上記冷蔵室２３間を数段に区画する棚網で、この棚網２４の各棚網間は通常１２０ｍｍ〜１５０ｍｍ程度のピッチに構成されている。
２５は、上記棚網の内の一段に含まれる可変棚で、この可変棚２５は、図８に示すように、手前棚２６と奥側棚２７とで構成されている。
２８，２９は、上記可変棚２５を図８ないし図１０に示す如く可変させるための案内手段に係るレールである。このレール２８，２９は、図１０に示す如く、上記可変棚を回動させるための軸受３０を備えている。
【０００４】
上記構成の可変棚２５を利用して、上記１２０ｍｍ〜１５０ｍｍ間隔より大きい寸法の食品等を収納する場合には、必要に応じ上記可変棚２５を可変させるものである。図８には、手前棚２６と奥側棚２７とを併設して１２０ｍｍ〜１５０ｍｍ間隔より小さい寸法の食品等を収納する場合を示している。図９には、手前棚２６を奥側棚２７の下に引き込んで、手前に上記１２０ｍｍ〜１５０ｍｍより背の高い壜あるいは食品等を収納し、奥側に１２０ｍｍ〜１５０ｍｍ間隔より小さい寸法の食品等を収納する場合を示している。
【０００５】
図１０には、図９に示したように手前棚２６を奥側棚２７に引き込んだ可変棚を軸受３０を介して回動させ、背の高い壜あるいは食品等を手前と奥側とに収納したものを示している。
この種構造を採用した冷蔵庫としては、例えば、実開昭５８−８１４９１号公報記載のものが知られている。
【０００６】
【発明が解決しようとする課題】
上記従来の冷蔵庫の可変棚構造においては次のような問題点があった。
（１）手前の棚を奥側の棚の下に引き込んで、そこに背の高い壜あるいは食品を収納したとき、奥側の棚の上側あるいいは下側に収納されていた食品の取り出しが非常に難しいという問題があった。すなわち、奥側の棚の上側あるいは下側に収納されている食品を取り出すときには、先に入れた背の高い壜あるいは食品を取り出した後でなければ、それら食品を見ることも取り出すこともできなかった。
【０００７】
（２）通常冷蔵庫内に設置される棚は、食品の取り出しの容易性あるいは収納性を考慮して引出し式に設計されているが、従来の可変棚構造においては、これを引出し式にすることは構造上非常に難しく、どうしても固定式となってしまう。このため、食品の取り出しが面倒で、また収納性が悪いという問題があった。
【０００８】
本発明は、上記従来技術の問題点を解決するためになされたもので、本発明の目的は、種々の食品の収納が可能で、食品の出し入れを容易にした、安価で収納性の良い可変棚を有する冷蔵庫を提供することにある。
【０００９】
【課題を解決するための手段】
本発明は、貯蔵室内に、複数の棚板と、可変棚と、冷気を吹出す冷気吹出口とを備えてなる冷蔵庫において、上記可変棚は、背部および両側面の立上り面と底面を有して上面部及び前面部を開口する容器で構成されると共に、その容器が前記貯蔵室の前記棚板上に通常棚として使用する場合と背の高い食品を収納する場合とでひっくり返し可能に配置されてなり、上記容器をひっくり返した際にも上記冷気吹出口との位置合わせが可能な位置に設けられる冷気取入口を前記容器の背部の立上り面に備え、上記容器の底面の両側面より外方に突出するフランジ部を備えたものである。
また本発明は、貯蔵室内に、複数の棚板と、可変棚と、冷気を吹出す冷気吹出口とを備えてなる冷蔵庫において、上記可変棚は、背部および両側面の立上り面と底面を有して上面部及び前面部を開口する容器で構成されると共に、その容器が前記貯蔵室の前記棚板上に通常棚として使用する場合と背の高い食品を収納する場合とでひっくり返し可能に配置されてなり、上記可変棚の構成の容器を上記棚板上に少なくとも二つ併設し、上記容器の底面の両側面より外方に突出するフランジ部を備えて前記二つの容器間の隙間を小さくしたものである。
また本発明は、貯蔵室内に、複数の棚板と、可変棚と、冷気を吹出す冷気吹出口とを備えてなる冷蔵庫において、
上記可変棚は、背部および両側面の立上り面と底面を有して上面部及び前面部を開口する容器で構成されると共に、その容器が前記貯蔵室の前記棚板上に通常棚として使用する場合と背の高い食品を収納する場合とでひっくり返し可能に配置されてなり、上記容器の上面開口が上に位置するように上記容器を配置した際に、上記容器の底面が前記棚板に重なり、上記容器の底面の両側面より外方に突出するフランジ部を備えたものである。
【００１２】
【作用】
上記技術的手段による働きは、次のとおりである。
本発明の可変棚においては、通常棚として使用する場合には、実施例で詳細を後述する図１の如く、両容器７，８とも底部棚板９に対し、容器７，８の底面７ｅ，８ｅが上方に位置するよう設置しておけばよい。
また、可変棚６の半巾位を使って壜あるいは背の高い食品を収納しようとする場合には、後述する図３に示す如く、一方の容器８をひっくり返し、丁度、底面８ｅが底部棚板９に重なるよう設置すると、この可変棚６と一段上の棚網５との間が広くなる。これを利用して、壜あるいは背の高い食品を収納すれば良いものである。
【００１３】
さらに可変棚６の全巾で壜あるいは背の高い食品を収納する必要が生じたときには、図３に示す容器７も容器８同様ひっくり返すことにより、多量の壜あるいは背の高い食品の収納に応じられるものである。勿論、上記容器７，８は通常時を含め冷蔵室３に対し、引出し自在になされているので、食品あるいは壜の取り出しの容易性および収納性は、従来の可変棚に比較して一段と向上しているものである。
【００１４】
【実施例】
以下、本発明の実施例を図１ないし図６を参照して説明する。
図１は、本発明の一実施例に係る冷蔵庫の可変棚部の概略の構成を示す斜視図、図２は、本発明の可変棚を備えた冷蔵庫本体の一例を示す正面図、図３は、図１の可変棚を可変させた一例を示す斜視図、図４は、図１の可変棚と冷蔵庫との係合関係を示す断面図、図５は、可変棚と冷蔵庫との係合関係を示す他の例を示す断面図、図６は、図５の可変棚を可変させた一例を示す断面図である。
【００１５】
図２において、１は冷蔵庫本体で、この冷蔵庫本体１は、内部に貯蔵室を構成する冷凍室２、冷蔵室３、野菜室４等を備えている。５は、上記冷蔵室３内に配設された棚板に係る棚網で、この棚網５は、冷蔵室３を等分（１２０〜１５０ｍｍピッチ）するよう設置されている。
６は可変棚で、この可変棚６は、図１，図３にも示す如く、二つの容器７，８から構成されている。この容器７，８は、前面に立上り面がなく、それぞれ背部の背部立上り面７ａ，８ａ、両側面の両側立上り面７ｂ，８ｂ、底面７ｅ，８ｅによって形成され、背部立上り面７ａ，８ａに冷気取入口が開口している。
【００１６】
これら二つの容器７，８は、前記冷蔵室３を形成する底部棚板９上に併設して設けられ、先の可変棚６を構成するものである。
図４に示す７ｃ，８ｃは、前記両側立上り面７ｂ，８ｂの先端に外方に突出して設けられた立上り面フランジであり、７ｄ，８ｄは、容器の底面７ｅ，８ｅが前記両側立上り面７ｂ，８ｂより外方に突出して設けられた底面フランジを示す。図１，３に示す１０，１１は、それぞれ背部立上り面７ａ，８ａに設けられた冷気取入口で、容器７，８内に太い矢印のように冷気を取入れるものである。
【００１７】
９は先に記述した如く、冷蔵室３の底部を構成する底部棚板である。そして、１２は、この底部棚板９の中央部に設けられた中央係止リブで、この中央係止リブ１２は、容器７，８に設けた立上り面フランジ７ｃ，８ｃあるいは底面フランジ７ｄ，８ｄと係合するものである。
図４に示す１３は、冷蔵室の内箱１４両側と底部棚板９の側端との当接部近くに、内箱１４に形成された側方係止リブである。また、図５に示す１３Ａは、底部棚板９の側端に折り曲げ部を形成して内箱１４に接合して設けた側方係止リブである。これらの係止リブ１３または１３Ａも、容器７，８に設けた立上り面フランジ７ｃ，８ｃあるいは底面フランジ７ｄ，８ｄと係合するものである。
【００１８】
さらに、上記容器７，８に設ける立上り面フランジ７ｃ，８ｃの形状は、底面フランジ７ｄ，８ｄと同形状に作られ、容器を図１ないし図３に如く可変させたときでも、該容器７，８が係止リブ１２，１３にうまく係合するよう構成されているものである。
換言すれば、上記容器７，８はどのような形態で底面棚板９上に設置されたときでも、冷蔵室３に対し、引出し自在に設置されているものである。
【００１９】
上記構成の可変棚６の取付け、可変態様について各図を参照して説明する。
可変棚を構成する二つの容器７，８は、中央係止リブ１２および側方係止リブ１３（１３Ａ）を案内レールとして引出し自在に取付けられる。
可変棚６を通常棚として使用する場合には、図１，４，５に示すごとく、両容器７，８とも底部棚板９に対し、容器７，８の底面７ｅ，８ｅが上方に位置するよう併設しておけばよい。このとき、容器７，８の立上り面フランジ７ｃ，８ｃが中央係止リブ１２および側方係止リブ１３（１３Ａ）に係合関係を保持する。
【００２０】
前述のように、容器７，８の底面７ｅ，８ｅが上方に位置するよう併設すると、内箱１４と容器７，８との間、および容器７，８間にはわずかな隙間が形成され、冷気通路にもなるようなされている。
さらに、容器７，８間はフランジ７ｄ，８ｄが設けられていることにより、両者間には大きな隙間がなく、底面７ｅ，８ｅ上に載置した食品が、その隙間から落下しないようなされている。
【００２１】
次に、可変棚６の半巾位を使って壜あるいは背の高い食品を収納しようとする場合には、図３，６に示す如く、一方の容器８をひっくり返し（倒立させ）て、丁度、底面８ｅが底部棚板９に重なるよう設置すると、この可変棚６と一段上の棚網５との間が広くなる。この空間を利用して、壜あるいは背の高い食品を収納すれば良い。
このとき、倒立させた容器８の底面フランジ８ｄを中央係止リブ１２と側方係止リブ１３（１３Ａ）とに係合させる。
【００２２】
さらに、可変棚６の全巾で壜あるいは背の高い食品を収納する必要が生じたときには、特に図示しないが、図３，６に示す容器７も容器８同様に倒立させることにより、多量の壜あるいは背の高い食品の収納に応じられることは言うまでもない。勿論、前記容器７，８は通常時を含め冷蔵室３に対し、引出し自在になされているので、食品あるいは壜の取り出しの容易性および収納性は、従来の可変棚に比較して一段と向上しているものである。
【００２３】
上記実施例によれば、背部立上り面７ａ，８ａに冷気取入口１０，１１を有し、手前側立上り面のない二つの容器７，８を、冷蔵庫の底部棚板９面に、容器間に大きな隙間ができないように併設させ、その容器７，８の冷蔵室３内への設置状態を変えることにより、壜あるいは背の高い食品の収納に供するようにしたので、従来の如く、複雑なレールを用いたりすることがないばかりか、壜の奥側の食品を出し入れするときには、その容器を冷蔵室から引き出すなどすれば容易に行なわれるものである。
【００２４】
また、容器の底面７ｅ，８ｅと両側立上り辺７ｂ，８ｂにフランジ部を設け、このフランジ部を冷蔵室の底部棚板９等で形成する中央係止リブ１２および側方係止リブ１３（１３Ａ）に係合させ、容器７，８を引出し自在にしたものであるから、種々の食品を常に安定した状態でしかも奥の食品までスムーズに出し入れすることができる。
さらに、併設された二つの容器７，８の底部棚板９面への置き方で、幾つかの収納形態が得られるようにしたので、種々の食品の収納が可能になったことは勿論、複雑な構成部品を必要とすることなく、常に最良の状態での食品の貯蔵が可能となるものである。
【００２５】
なお、冷気取入口１０，１１の位置は、上記の如く容器を可変させたときでも、相手の冷気吹出口（図示せず）と位置合せができ、容器内の冷却はいつも同じように行なわれるものである。
また、上記の実施例では、可変棚６は、二つの容器７，８を併設してなるものを説明したが、本発明はこれに限るものではなく、３個以上の容器を併設して構成しても良い。例えば、３個の容器を用いる場合、棚中間の係止リブは、３個の容器のフランジを係合させることのできるように可変棚の全幅を三分する位置に設ければ良い。
【００２６】
さらに、上記の実施例では、可変棚６は、底面棚板９に取り付ける例を説明したが、本発明はこれに限らず、複数の棚網５のいずれかに必要なリブを施して可変棚６を取り付けることも可能である。
【００２７】
【発明の効果】
以上詳細に説明したように、本発明によれば、種々の食品の収納が可能で、食品の出し入れを容易にした、安価で収納性の良い可変棚を有する冷蔵庫を提供することができる。
【図面の簡単な説明】
【図１】本発明の一実施例に係る冷蔵庫の可変棚部の概略の構成を示す斜視図である。
【図２】本発明の可変棚を備えた冷蔵庫本体の一例を示す正面図である。
【図３】図１の可変棚を可変させた一例を示す斜視図である。
【図４】図１の可変棚と冷蔵庫との係合関係を示す断面図である。
【図５】可変棚と冷蔵庫との係合関係を示す他の例を示す断面図である。
【図６】図５の可変棚を可変させた一例を示す断面図である。
【図７】従来構造を示す冷蔵庫本体の正面図である。
【図８】図７のＰ部拡大側面図である。
【図９】図８の可変棚を操作した説明図である。
【図１０】図９の可変棚を操作した説明図である。
【符号の説明】
１…冷蔵庫本体、３…冷蔵室、５…棚網、６…可変棚、７，８…容器、７ａ，８ａ…背部立上り面、７ｂ，８ｂ…両側立上り面、７ｃ，８ｃ…立上り面フランジ、７ｄ，８ｄ…底面フランジ、７ｅ，８ｅ…底面、９…底部棚板、１０，１１…冷気取入口、１２…中央係止リブ、１３，１３Ａ…側方係止リブ、１４…内箱。
【図１】
0003598129.tif 000002
【図２】
0003598129.tif 000003
【図３】
0003598129.tif 000004
【図４】
0003598129.tif 000005
【図５】
0003598129.tif 000006
【図６】
0003598129.tif 000007
【図７】
0003598129.tif 000008
【図８】
0003598129.tif 000009
【図９】
0003598129.tif 000010
【図１０】
0003598129.tif 000011